(57)【要約】【課題】地中に効率良く水を貯留することの可能な利水および治水システムならびにその製造方法を提供する。【解決手段】本技術の利水および治水システムの製造方法では、流路または湛水域に隣接する土壌中であって、かつ、その土壌中の地下水の渇水時水位と増水時水位との間の位置に、多孔管が埋設される。さらに、その土壌中に、多孔管と、流路または湛水域とを互いに連結する中継管が埋設される。【選択図】図４
2015045168.tif 000002
【特許請求の範囲】
【請求項１】
流路または湛水域に隣接する土壌中であって、かつ前記土壌中の地下水の渇水時水位と増水時水位との間の位置に、多孔管を埋設すると共に、前記多孔管と、前記流路または前記湛水域とを互いに連結する中継管を埋設する
利水および治水システムの製造方法。
【請求項２】
前記増水時水位よりも前記渇水時水位寄りの位置に前記多孔管を埋設する
請求項１に記載の利水および治水システムの製造方法。
【請求項３】
前記流路または前記湛水域の水位が年間を通じて前記増水時水位よりも高くなるように、前記流路または前記湛水域の底面位置、ならびに前記流路または前記湛水域の水を保持する構造物の材料および壁の高さを調整する
請求項１または請求項２に記載の利水および治水システムの製造方法。
【請求項４】
流路または湛水域に隣接する土壌中に埋設された多孔管と、
前記土壌に埋設され、前記多孔管と、前記流路または前記湛水域とを互いに連結する中継管と、
を備え、
前記流路または前記湛水域からの前記多孔管への水の供給が停止している期間に、前記土壌中の地下水の水位が最低となったときの水位を渇水時水位とし、前記土壌中の地下水の水位が最高となったときの水位を増水時水位とすると、
前記多孔管は、前記渇水時水位と前記増水時水位との間の位置に埋設されている
利水および治水システム。
【請求項５】
前記多孔管は、前記増水時水位よりも前記渇水時水位寄りの位置に埋設されている
請求項４に記載の利水および治水システム。
【請求項６】
前記中継管の中途もしくは先端に配置された止水弁をさらに備えた
請求項４または請求項５に記載の利水および治水システム。
【請求項７】
前記流路または前記湛水域の水位が年間を通じて前記増水時水位よりも高くなるように、前記流路または前記湛水域の底面位置、ならびに前記流路または前記湛水域の水を保持する構造物の材料および壁の高さが調整されている
請求項４ないし請求項６のいずれか一項に記載の利水および治水システム。
【発明の詳細な説明】
【技術分野】
【０００１】
本技術は、運河、河川、用水路、遊水池、農業用溜池、貯水池、湖沼などの、天空から降った水が流れたり湛水したりして、雨水や雪解け水、ダムからの放水などで一時的に増水する場所（以下、「水域」と称する。）における利水および治水システムならびにその製造方法に関する。なお、本明細書において、運河、河川、用水路などの、水の流れのあるものを「流路」と称し、遊水池、農業用溜池、貯水池、湖沼などの、水の流れのほとんどないものを「湛水域」と称する。
【背景技術】
【０００２】
近年、河川の流域の都市化や開発による耕作地の減少により流域の保水機能が低下し、集中豪雨で降った雨水が以前に増して早く河川等に流出するようになってきている。そのため、集中豪雨による雨水と共に市街地の排水路の完備による集中排水が、河川等の水量のピークを一時的に上昇させて治水安全度を低下させる事態が生じており、さらに、農業用水、生活飲料用水、工業用水など各種用水として、有効利用されることなく海に流出させる事態も生じている。これらは、水資源確保の点からも大きな問題となっている。また、世界的な規模で発生している異常気象により、世界中の多くの国で異常出水と異常渇水が偏在して頻発しており、この異常出水と異常渇水に対する有効な対策が求められている。
【０００３】
この問題の対策として、河川の流量調整のため、河川の上流域にダム、河川の流域や隣接する地域に遊水池などを築造することが行われている。しかし、このような従来の河川等の水量調整は、地表水の貯留であるので、土地利用上の制約（貯水量を大きくするにはより広大な面積を必要とする等）があり、調整容量の絶対量に自ずと限界がある。また、ダムにおいては、放流管理の運用が難しく、下流河川の破堤などの災害が起こった場合は、その運用法がいつも厳しい批判に晒される。この様な事情と公共事業削減の要請から、近年では、新たなダム建設が難しくなっている。
【０００４】
一方、開渠や暗渠による排水を利用した土地の保水性又は排水性の改良も行われている。暗渠は、たとえば、地中にパイプを埋設することにより形成されたり、地中に溝状部または層状部を形成し、そこに砂利を敷設することにより形成されたりする。暗渠では、孔あきパイプが利用されることがある。この場合、降雨時の余剰な地下浸透水が、地中に埋設した孔あきパイプ内に導入され、導入された余剰水が孔あきパイプを介して河川などに排水される。このタイプの暗渠では、土壌が吸収しきれない余剰の水分を地中から排除することにより土壌の水分を適度に保つことができる。
【０００５】
また、撒水の手間を軽減するものとして、下記の特許文献１に示す保水パイプが提案されている。この保水パイプは、土壌中に埋設され、降雨時に土壌中の余剰の地下浸透水を、このパイプ内に保水し、この保水した水分を乾燥時に土壌中に放出するようになっている。この保水パイプは、透水性パイプ本体と、その内部に内蔵された吸水性材料とからなっている。透水性パイプ本体は、ポリエチレン等からなる複数の細幅偏平糸条物を網目状に配置し、交差部分を互いに溶着することにより得られる帯状ネットを螺旋状に巻回してパイプ状としたものである。この透水性パイプ本体は、さらに、パイプ状にした帯状ネットの外周面に沿って、合成樹脂からなる長尺の補強条体を螺旋状に巻回し、パイプ状にした帯状ネットに融着して構成されている。透水性パイプ本体の内部に内蔵された吸水性材料は、吸水性合成樹脂を適宜スポンジ状物に抱接させたものである。
【０００６】
特許文献１に記載の保水パイプでは、保水パイプの内部に吸水性材料が内蔵されているので、この保水パイプを土壌中に埋設しておくことで降雨時に土壌中に浸透した余剰の地中浸透水が、透水性パイプ本体を通してパイプ内部に入り込む。そして、パイプ内部に入り込んだ水が、該透水性パイプ本体内の吸水性材料に短時間で吸収される。降雨のない乾期には、一旦保水パイプの内部の吸水性材料に吸収された水が透水性パイプ本体内から土壌中に放出され、土壌中に適度な水分が補給される。
【先行技術文献】
【特許文献】
【０００７】
【特許文献１】特開平７−１７０８６６号公報
【発明の概要】
【発明が解決しようとする課題】
【０００８】
本技術は、地中に効率良く水を貯留することを可能とする利水および治水システムならびにその製造方法を提供することを目的とする。
【課題を解決するための手段】
【０００９】
本技術の利水および治水システムの製造方法は、以下の手順（Ａ）を含む。
（Ａ）流路または湛水域に隣接する土壌中であって、かつ、その土壌中の地下水の渇水時水位と増水時水位との間の位置に、多孔管を埋設すると共に、多孔管と、流水域または止水域とを互いに連結する中継管を埋設すること
【００１０】
本技術の利水および治水システムの製造方法では、多孔管が、流路または湛水域に隣接する土壌中であって、かつ土壌中の地下水の渇水時水位と増水時水位との間の位置に埋設される。これにより、例えば、流路または湛水域の水位が上昇して流路または湛水域の水が中継管を介して多孔管に流入すると、多孔管内の空気が水と置き換わって多孔管の外（つまり、地中）に押し出され、多孔管内に水が充填される。その結果、多孔管内から地中へと水が浸透し貯留される。
【００１１】
水を貯留できる地中空間は土粒子の間隙が水で充満されていない不飽和土の部分である。この不飽和土中への水の浸透は、上から下向きに比べて下から上向きの方が遥かに容易で効率的である。これは次の事情による。不飽和土中の浸透では、固く堆積した土壌の土粒子間隙で水と空気が入れ替わる必要がある。しかし、上から下への水の浸透の場合にはこの交換が起こりにくい。その一方で、下から上への水の浸透の場合には下から供給された水が単純に土粒子間隙中の空気を上へと押し上げるだけであるので、この交換が容易に起こる。そのため、不飽和土中への水の浸透は、上から下向きに比べて下から上向きの方が遥かに容易で効率的なのである。また、土壌中の多孔管から加圧状態で水を土壌中に圧入すると、過剰間隙圧のため多孔管より上方の土壌の土粒子間隙が若干ではあるが拡がる要素がある。このように、土壌の下方向に向かう下向き浸透に比べて、土壌の上方に向かう上向き浸透の方が、地中での水の浸透能力が大きい。
【００１２】
本技術では、上向き浸透をさらに強化するために、多孔管が、土壌中の地下水の渇水時水位と増水時水位との間の位置に埋設される。例えば、地下水が渇水時水位となっているときに、地下水の渇水時水位と増水時水位との間の位置に多孔管を埋設しておいたとする。このとき、例えば、流路または湛水域の水が中継管を介して多孔管に流入し、水が多孔管内から地中へ浸透し始め、地中に貯留され始めると、地下水の現水位が渇水時水位から上昇し、多孔管が地下水に埋没する。その結果、多孔管の周囲の土砂粒子間隙が水で飽和した状態となり、この部分の土壌中には、地下水位による静水圧が生じる。さらに、多孔管内には流路または湛水域の水位による水の圧力によって、多孔管内は加圧状態になるので、多孔管の内部から多孔管の上方の土壌中の空間において過剰間隙水圧が生じる。この過剰間隙水圧が多孔管から土壌中の上方に向かって減少し、ピエゾ水頭も同様に多孔管から土壌の上方向に向かって減少する。この過剰間隙水圧の上方向の減少が上向き浸透に寄与する。
【００１３】
本技術の利水および治水システムは、流路または湛水域に隣接する土壌中に埋設された多孔管と、土壌中に埋設され、多孔管と、流路または湛水域とを互いに連結する中継管とを備えている。流路または湛水域から多孔管への水の供給が停止している期間で、土壌中の地下水の水位が最低となったときの水位を渇水時水位とし、土壌中の地下水の水位が最高となったときの水位を増水時水位とする。このとき、多孔管は、渇水時水位と増水時水位との間の位置に埋設されている。
【００１４】
本技術の利水および治水システムでは、多孔管が、流路または湛水域に隣接する土壌中に埋設されている。多孔管は、さらに、流路または湛水域から多孔管への水の供給が停止している期間の渇水時水位と増水時水位との間の位置に埋設されている。これにより、例えば、流路または湛水域の水位が上昇して、流路または湛水域の水が中継管を介して多孔管に流入し、多孔管内が水で充満すると、流路または湛水域の水位による水の圧力によって多孔管内は加圧状態になる。このとき、多孔管の周囲の地下水位が多孔管の位置より高くなっている場合には、多孔管の内部から多孔管の上方の土壌中の空間において過剰間隙水圧が生じる。この過剰間隙水圧は多孔管から土壌中の上方に向かって減少し、ピエゾ水頭も同様に多孔管から土壌の上方向に向かって減少する。この過剰間隙水圧の上向きの減少が上向き浸透に寄与する。
【発明の効果】
【００１５】
本技術の利水および治水システムならびにその製造方法では、上向き浸透に寄与する過剰間隙水圧が発生するようにしたので、地中に効率良く水を貯留することができる。
【図面の簡単な説明】
【００１６】
【図１】本技術による一実施の形態に係る利水および治水システムの断面構成の一例を表す図である。
【図２】図１の利水および治水システムの上面構成の一例を表す図である。
【図３】図１の利水および治水システムの製造手順の一例を表す図である。
【図４】図３に続く手順の一例を表す図である。
【図５】図１の利水および治水システムの作用の一例を説明する図である。
【図６】図５に続く作用の一例を説明する図である。
【図７】図６に続く作用の一例を説明する図である。
【図８】図７の作用をポテンシャルエネルギーで説明する図である。
【図９】図１の利水および治水システムの断面構成の一変形例を表す図である。
【図１０】実験例に係る利水および治水システムの斜視構成を表す図である。
【図１１Ａ】図１０の利水および治水システムの正面構成を表す図である。
【図１１Ｂ】図１０の利水および治水システムの上面構成を表す図である。
【図１１Ｃ】図１０の利水および治水システムの右側面構成を表す図である。
【図１２】図１０の利水および治水システムに用いた砂試料の粒度分布を表す図である。
【図１３Ａ】高低差８０ｃｍのときの、各観測井における水位の上昇量を表す図である。
【図１３Ｂ】高低差４５ｃｍのときの、各観測井における水位の上昇量を表す図である。
【図１３Ｃ】高低差２０ｃｍのときの、各観測井における水位の上昇量を表す図である。
【図１４Ａ】高低差８０ｃｍのときの、各観測井における水位上昇速度の時間変化を表す図である。
【図１４Ｂ】高低差４５ｃｍのときの、各観測井における水位上昇速度の時間変化を表す図である。
【図１４Ｃ】高低差２０ｃｍのときの、各観測井における水位上昇速度の時間変化を表す図である。
【発明を実施するための形態】
【００１７】
以下、発明を実施するための形態について、図面を参照して詳細に説明する。なお、説明は以下の順序で行う。
１．実施の形態
２．変形例
３．実験例
【００１８】
＜１．実施の形態＞
[構成]
図１は、本技術の一実施の形態に係る利水および治水システム１の断面構成の一例を表したものである。図２は、図１の利水および治水システム１の上面構成の一例を表したものである。利水および治水システム１は、河川２００の上流から引いた用水路１００に接続されたものであり、用水路１００に隣接する平坦な土地の土壌中に埋設されている。利水および治水システム１は、例えば、用水路１００の片側の平坦な土地の土壌中に埋設されている。利水および治水システム１は、例えば、用水路１００と、河川２００との間の平坦な土地の土壌（例えば、緑地３００）中に埋設されている。なお、利水および治水システム１は、用水路１００の両側の平坦な土地の土壌中に埋設されていてもよい。
【００１９】
利水および治水システム１は、平坦な緑地３００に埋設された多孔管１０および中継管２０を備えている。利水および治水システム１は、さらに、中継管２０の中途もしくは先端に設けられた止水弁３０と、止水弁３０の周囲に、緑地３００の地表まで延在する空隙を形成する管理用の孔４０とを備えている。なお、利水および治水システム１において、止水弁３０および孔４０が省略されていてもよい。
【００２０】
多孔管１０は、土壌中の地下水の渇水時水位ＬＷＬと増水時水位ＨＷＬとの間の位置に埋設されている。多孔管１０は、増水時水位ＨＷＬよりも渇水時水位ＬＷＬ寄りの位置に埋設されていることが好ましく、渇水時水位ＬＷＬに近接して埋設されていることがより好ましい。より具体的には、多孔管１０は、利水および治水システム１を稼働しない状態での年間平均地下水位よりも低い位置に埋設されていることが好ましい。渇水期に施工して多孔管１０を渇水時水位ＬＷＬに近接して配置した場合、渇水期を除く長期の間において河川２００の水位が多孔管１０より高くなるので、その期間の地下水位（現水位ＣＷＬ）が常に多孔管１０の位置よりも上方に位置するようになる。図１には、多孔管１０が現水位ＣＷＬよりも低い位置に埋設されている様子が例示されている。多孔管１０は、例えば、地表面と平行となるように埋設されている。なお、多孔管１０が、地表面に対して傾むけて埋設されていてもよい。いずれにおいても、多孔管１０全体が、土壌中の地下水の渇水時水位ＬＷＬと増水時水位ＨＷＬとの間の位置に埋設されている。
【００２１】
ここで、渇水時水位ＬＷＬは、用水路１００から多孔管１０への水の供給が停止している期間に土壌中の地下水の水位が最低となったときの水位に相当する。渇水時水位ＬＷＬは、用水路１００から多孔管１０への水の供給が停止してから１年以上経過しているときの最低水位であることが好ましい。渇水時水位ＬＷＬは、利水および治水システム１を施工する前もしくは利水および治水システム１を稼働したことのないときの土壌中の地下水の最低水位に相当する。増水時水位ＨＷＬは、用水路１００から多孔管１０への水の供給が停止している期間に土壌中の地下水の水位が最高となったときの水位に相当する。増水時水位ＨＷＬは、用水路１００から多孔管１０への水の供給が停止してから１年以上経過しているときの最高水位であることが好ましい。増水時水位ＨＷＬは、利水および治水システム１を施工する前もしくは利水および治水システム１を稼働したことのないときの土壌中の地下水の最高水位に相当する。現水位ＣＷＬは、利水および治水システム１稼働開始後の実際の地下水位である。なお、土壌（例えば、緑地３００）中の地下水の水位の変動と、土壌（例えば、緑地３００）に隣接する河川２００の水位の変動との間には、相関関係がある。
【００２２】
多孔管１０は、多孔管１０内の水（用水路１００からの流入水）が地中に漏えいする構造となっている。多孔管１０は、例えば、所定の方向に延在する管の周面に多数の孔１１が設けられた構造となっている。多孔管１０は、例えば、図２に示したように、用水路１００に沿って延在している。なお、多孔管１０の延在方向は、図２に示した方向に限定されない。多孔管１０は、例えば、多孔のコンクリート管、または、多孔の鋼管などで構成されている。多孔管１０は、軽量化及び耐蝕性等の観点から、多孔の硬質樹脂管で構成されていてもよい。硬質樹脂としては、例えば、ポリ塩化ビニルやポリエチレンなどが挙げられる。
【００２３】
孔１１の開口径は、多孔管１０内への土砂の流入を防ぐ観点から、直径２ｍｍ以下となっていることが好ましく、直径０．５ｍｍ以下となっていることがより好ましい。多数の孔１１は、多孔管１０の周面において偏在していてもよい。特に、多数の孔１１が多孔管１０の底面側に偏在している場合には、孔１１からの土砂の流入を比較的防ぎ易いので、孔１１が、例えば、直径１〜５ｃｍの円形となっていてもよく、また、例えば、長手方向の内径が２〜１０ｃｍで、短手方向の内径が１〜２ｃｍのスリット状または楕円状となっていてもよい。
【００２４】
中継管２０は、用水路１００の水を多孔管１０に導入するためのものであり、用水路１００および多孔管１０に接続されている。中継管２０は、例えば、多孔管１０側の端部（いわゆる取水口）の位置が用水路１００側の端部の位置よりも低くなるように、地中に埋設されている。中継管２０の取水口は、用水路１００の水位１００Ａの、渇水時水位と増水時水位との間の位置に配置されている。
【００２５】
中継管２０は、多孔管１０と同様に、周面に多数の孔を有する構造となっていてもよいし、周面に孔の無い構造となっていてもよい。中継管２０は、例えば、多孔管１０と同じ材料で構成されており、例えば、コンクリート、鋼、硬質樹脂などで構成されている。中継管２０は、多孔管１０と異なる材料で構成されていてもよい。
【００２６】
止水弁３０は、用水路１００からの多孔管１０への水の供給を制御するものである。止水弁３０は、例えば、当該止水弁３０を閉めることにより中継管２０を遮断し、当該止水弁３０を開けることにより中継管２０を開通するようになっている。孔４０は、止水弁３０を緑地３００の地上側から操作することができるようにするために設けられたものである。
【００２７】
用水路１００の水位１００Ａが年間を通じて多孔管１０の埋設位置よりも高くなるように、用水路１００の底面位置、ならびに用水路１００の水を保持する構造物の材料および壁の高さが調整されている。これにより、用水路１００の水位１００Ａと、多孔管１０の埋設位置とに高低差が生じるので、用水路１００から流入した水で多孔管１０が充填されたときに、その高低差に応じた過剰間隙水圧（後述）が発生する。過剰間隙水圧は、地中の水圧の静水圧からの超過圧力であり、浸透流の原動力となるものである。用水路１００の水位１００Ａが年間を通じて増水時水位ＨＷＬよりも高くなるように、用水路１００の底面位置、ならびに用水路１００の水を保持する構造物の材料および壁の高さが調整されていることが好ましい。このようにした場合には、多孔管１０が増水時水位ＨＷＬの近傍に埋設されている場合であっても、上述の過剰間隙水圧が発生する。また、多孔管１０が渇水時水位ＬＷＬの近傍に埋設されている場合には、多孔管１０が増水時水位ＨＷＬの近傍に埋設されている場合と比べて、上述の過剰間隙水圧が大きくなる。用水路１００の構造物は、透水性が低くなるように構成されており、例えば、コンクリートで構成されている。
【００２８】
[製造方法]
次に、利水および治水システム１の製造方法の一例について説明する。図３は、利水および治水システム１の製造手順の一例を表したものである。図４は、図３に続く手順の一例を表したものである。
【００２９】
まず、用水路１００の水位１００Ａが年間を通じて多孔管１０の埋設予定位置よりも高くなるように、用水路１００の底面位置、ならびに用水路１００の水を保持する構造物の材料および壁の高さを調整しておく。このとき、用水路１００の水位１００Ａが年間を通じて増水時水位ＨＷＬよりも高くなるように、用水路１００の底面位置、ならびに用水路１００の水を保持する構造物の材料および壁の高さを調整しておくことが好ましい。
【００３０】
次に、多孔管１０を埋設する箇所に溝５０を形成する（図３）。溝５０の深さを、多孔管１０の埋設予定深さに応じて設定する。具体的には、溝５０の底面が渇水時水位ＬＷＬと増水時水位ＨＷＬとの間の位置となるように溝５０を形成する。このとき、溝５０の底面が増水時水位ＨＷＬよりも渇水時水位ＬＷＬ寄りの位置となるように溝５０を形成することが好ましく、溝５０の底面が渇水時水位ＬＷＬに近接するように溝５０を形成することがより好ましい。
【００３１】
次に、溝５０の底に多孔管１０を設置し、さらに、中継管２０を用いて、多孔管１０と用水路１０とを互いに接続する（図４）。このとき、中継管２０の中途または先端に止水弁３０を設けておき、止水弁３０を閉めておく。多孔管１０の埋設深さは、溝５０の深さで規定される。溝５０の底面が渇水時水位ＬＷＬと増水時水位ＨＷＬとの間の位置にあるときは、多孔管１０の埋設深さも、渇水時水位ＬＷＬと増水時水位ＨＷＬとの間の深さとなる。溝５０の底面が増水時水位ＨＷＬよりも渇水時水位ＬＷＬ寄りの位置にあるときは、多孔管１０の埋設深さも、増水時水位ＨＷＬよりも渇水時水位ＬＷＬ寄りの深さとなる。溝５０の底面が渇水時水位ＬＷＬに近接しているときは、多孔管１０の埋設深さも、渇水時水位ＬＷＬに近接した深さとなる。
【００３２】
次に、溝５０に土砂を埋め戻すことにより、多孔管１０および中継管２０を埋設する。このとき、止水弁３０の周囲に、孔４０を形成しておく。最後に、止水弁３０を開けておく。このようにして、利水および治水システム１が製造される。
【００３３】
[作用]
次に、利水および治水システム１の作用の一例について説明する。図５〜図７は  利水および治水システム１の作用の一例を説明したものである。図５には、現水位ＣＷＬが渇水時水位ＬＷＬと等しいときの、現水位ＣＷＬと多孔管１０との位置関係の一例が示されている。図８は、図７の作用をポテンシャルエネルギーで模式的に説明したものである。図８中の横軸は、大気圧を基準とするゲージ圧で表わした圧力もしくはその圧力水頭である。圧力水頭とは、ゲージ圧表示の圧力を水の単位体積重量で割ったもので、当該圧力を静水圧で底面に与える水柱の高さあるいはその圧力を静水圧で与える水面下の深さとして表したものである。図８の縦軸は、地表面からの深さである。図８の縦軸の一番上が、深さゼロ（つまり地表面）となっている。図８において、実線で示した静水圧の状態では圧力は現水位ＣＷＬより上方では大気圧で一定であり、圧力（ゲージ圧）は現水位ＣＷＬから地表面までゼロである。一方、図に点線で示した過剰間隙圧が生じた状態では圧力（ゲージ圧）は現水位ＣＷＬより高い部分と低い部分で圧力勾配が異なり、圧力勾配は現水位ＣＷＬより低い部分の方がＣＷＬより低い部分より大きい。これは水と空気の多孔質体中での透過のし易さの違いによる。また、図の点線は模式的に直線の折れ線で示しているが実際は曲線となる。
【００３４】
図５に示したように、土壌（例えば緑地３００）では、多数の土砂３１０が堆積しており、多数の土砂３１０の隙間には、空気３３０が存在している。空気３３０は、土壌の地表面から所定の深さまで存在しており、空気３３０の存在する土壌は、不飽和土と呼ばれている。不飽和土の下方では、多数の土砂３１０の隙間に、地下水３２０が充満して存在しており、多数の土砂３１０が地下水３２０に埋没している。地下水３２０で空隙が充満されている土壌は、飽和土と呼ばれている。
【００３５】
多孔管１０は、埋設時には、地下水３２０の水位（現水位ＣＷＬ）よりも上の位置に配置されている。このときの現水位ＣＷＬは、例えば、渇水時水位ＬＷＬと等しい水位となっている。なお、このときの現水位ＣＷＬが、常に渇水時水位ＬＷＬと等しい水位になっている必要はない。その後、渇水期が終了して河川２００の水位が上昇し、多孔管１０の高さより高くなると地下水位も多孔管１０より高くなる（図６）。
【００３６】
ここで、地中での雨水の貯留空間は、不飽和土中の土粒子間隙である。このような不飽和土中に水を貯留する場合、地表面側から下に向けて水を供給しても、水はなかなか地中に浸透しない。これは、地中に含まれている空気（上述の空気３３０）と水が土粒子間隙で置換されなければならないが、密に堆積した土壌の間隙では、この置換が極めて起こり難いからである。しかし、土壌中の水（例えば多孔管１０から漏れ出た水）に対して、土壌の下の方で加圧すると、水は不飽和土の土粒子間隙にある空気（上述の空気３３０）を上方に押しやり、空気は地表面から空気中へと容易に排出される。つまり、地中の空気は、下向き浸透より上向き浸透の方が抜け易い。従って、地中での水は、空気の抜けが良好な、土壌の上方向に浸透し易いので、土壌の下方向に向かう下向き浸透に比べて、土壌の上方に向かう上向き浸透の方が、地中での水の浸透能力が大きい。利水および治水システム１では、土壌の上方に向かう上向き浸透を利用して、水が効率良く土壌に貯留される。
【００３７】
利水および治水システム１では、さらに、上向き浸透をさらに強化するために、渇水期が終了して河川２００の水位とともに地下水位（現水位ＣＷＬ）が多孔管１０の高さより高くなる位置に、多孔管１０が配置されている（図７）。または、多孔管１０から漏れ出た水が土壌に貯留され始め、現水位ＣＷＬが徐々に上昇したときに、多孔管１０が地下水３２０に速やかに埋没する位置に、多孔管１０が配置されている（図７）。このように、多孔管１０が地下水３２０に埋没すると、多孔管１０の周囲の土砂粒子間隙が水で飽和した状態となり、この地下水位による静水圧が生じる（図８）。
【００３８】
さらに、多孔管１０は流入水１２で満たされるので、多孔管１０内に流入する水の圧力によって、多孔管１０内は加圧状態になる。その結果、多孔管１０の内部から、その上方にかけての局所的な空間において、過剰間隙水圧が生じる（図８）。この過剰間隙水圧によって、ピエゾ水頭が多孔管１０から、土壌中の上方に行くほど小さくなる。この過剰間隙水圧の上向きの減少が、上向き浸透に寄与する。なお、過剰間隙水圧が生じることにより、現水位ＣＬＷよりも上方の土壌内には、地表面に向かうにつれて減少し大気圧に近づく圧力勾配を持つ空気圧が生じる。この空気圧の勾配は、土壌内の空気の上向き浸透を作る意味で上向き浸透に寄与している。利水および治水システム１では、不飽和土壌の中の空気と水との交換という性質だけでなく、過剰間隙水圧をも利用した上向き浸透流Ｆｕによっても、水が効率良く土壌に貯留される（図７）。
【００３９】
[効果]
次に、利水および治水システム１の効果について説明する。利水および治水システム１では、多孔管１０が、用水路１００に隣接する平坦な土壌（例えば緑地３００）中に埋設されている。多孔管１０は、さらに、用水路１００から多孔管１０への水の供給が停止している期間の渇水時水位ＬＷＬと増水時水位ＨＷＬとの間の位置に埋設されている。これにより、例えば、渇水期が終了して河川２００の水位とともに地下水位（現水位ＣＷＬ）が多孔管１０の高さより高くなったとする。このとき、用水路１００の水位１００Ａが上昇していて、この状態で止水弁３０を開き、用水路１００の水が中継管２０を介して多孔管１０に流入すると、用水路１００の水位１００Ａによる水の圧力によって、多孔管１０内は加圧状態になる。その結果、多孔管１０の内部から、多孔管１０の上方の土壌中の空間において、過剰間隙水圧が生じる。この過剰間隙水圧は多孔管１０から土壌中の上方に向かって減少し、ピエゾ水頭も同様に多孔管１０から土壌の上方向に向かって減少する。この過剰間隙水圧の上向きの減少が上向き浸透に寄与する。その結果、地中に効率良く水を貯留することができる。
【００４０】
＜２．変形例＞
以下に、上記実施の形態の利水および治水システム１の変形例について説明する。なお、以下では、上記実施の形態の利水および治水システム１と共通する構成要素に対しては、同一の符号が付与される。さらに、上記実施の形態の利水および治水システム１と共通する構成要素についての説明は、適宜、省略されるものとする。
【００４１】
上記実施の形態において、中継管２０の取水口にフィルタ６０が設けられていてもよい。このとき、中継管２０の取水口が用水路１００の底の方を向いていることが好ましい。このようにした場合には、用水路１００の水は、下から上に向かってフィルタ６０を通過するので、流水中に混入した土粒子によるフィルタ６０の目詰まりを生じにくくすることができる。
【００４２】
また、上記実施の形態では、中継管２０が用水路１００に連結されていたが、流路または湛水域などを含む多種多様な水域に連結されていてもよい。また、上記実施の形態では、多孔管１０の直下には、特段の構造物が意図的に設けられていなかったが、利水および治水システム１は、多孔管１０から漏れ出た水を受ける樋状体を備えていてもよい。この樋状体は、桶状体に水を満たしたときに、多孔管１０を半分以上水没させることの可能な大きさとなっている。
【００４３】
また、上記実施の形態では、利水および治水システム１の施工された土壌（例えば、緑地３００）中の地下水の水位の変動に寄与する河川２００が存在していたが、そのような河川２００が存在していなくてもかまわない。
【００４４】
＜３．実験例＞
以下、上記実施の形態およびその変形例（以下、「上記実施の形態等」と称する。）で説明した利水および治水システム１の実験例について説明する。図１０は、鉄板模型の実験装置の外観写真である。図１１Ａは、この実験装置の正面図であり、図１１Ｂは、この実験装置の平面図であり、図１１Ｃは、この実験装置の右側面図である。
【００４５】
砂試料を収容する実験装置の内寸を、横１８５ｃｍ、奥行き５０ｃｍ、高さ５０ｃｍとした。砂試料には、図１２に示した粒度分布を有する硅砂（３号）を用い、砂層の敷厚を、２５ｃｍとした。実験装置の右端には、高さ１０．５ｃｍの不透過の堰を設け、その上部には、透過性のメッシュパネルを設置して、砂層を支える構造とした。砂層中に埋設した孔径１００μｍの多孔パイプと、ヘッドタンクとを、ビニルチューブで互いに連結し、ヘッドタンクの水を多孔パイプに流入させ、実験装置内に浸透流を発生させた。ヘッドタンクには余水吐を設け、余剰水をオーバーフローさせることで、ヘッドタンクの水位を一定に保った。砂層には、傾斜マノメーターに連結された８個の観測井（Ｎｏ．1〜Ｎｏ．８）を設置し、各観測井における水位変化を計測した。観測井には、孔径５００μｍの多孔パイプを用いた。実験装置の右端からの流出水を約１分間隔で採水し、重量計測により浸透流量を求めた。
【００４６】
本実験では、ヘッドタンクの水面位置を変化させ、複数例の実験を行った。具体的には、ヘッドタンクの水面と砂層中に埋設した多孔パイプ上端との高低差を８０ｃｍ（Ｃａｓｅ−１）、４５ｃｍ（Ｃａｓｅ−２）、２０ｃｍ（Ｃａｓｅ−３）とした３つの例の実験を行った。その結果、得られたデータを図１３Ａ、図１３Ｂ、図１３Ｃ、図１４Ａ、図１４Ｂ、図１４Ｃに示した。図１３Ａは、高低差８０ｃｍのときの、各観測井における水位の上昇量を表したものである。図１３Ｂは、高低差４５ｃｍのときの、各観測井における水位の上昇量を表したものである。図１３Ｃは、高低差２０ｃｍのときの、各観測井における水位の上昇量を表したものである。図１４Ａは、高低差８０ｃｍのときの、各観測井における水位上昇速度の時間変化を表したものである。図１４Ｂは、高低差４５ｃｍのときの、各観測井における水位上昇速度の時間変化を表したものである。図１４Ｃは、高低差２０ｃｍのときの、各観測井における水位上昇速度の時間変化を表したものである。これらの図から、高低差が大きいほど、過剰間隙水圧による上向き浸透が大きくなることがわかる。
【符号の説明】
【００４７】
１…利水および治水システム、１０…多孔管、１１，４０…孔、１２…流入水、２０…中継管、３０…止水弁、５０…溝、６０…フィルタ、１００…用水路、１００Ａ…水位、２００…河川、３００…緑地、３１０…土砂、３２０…地下水、３３０…空気、ＣＷＬ…現水位、Ｆｕ…上向き浸透流、ＬＷＬ…渇水時水位、ＨＷＬ…増水時水位。
【図１】
2015045168.tif 000003
【図２】
2015045168.tif 000004
【図３】
2015045168.tif 000005
【図４】
2015045168.tif 000006
【図５】
2015045168.tif 000007
【図６】
2015045168.tif 000008
【図７】
2015045168.tif 000009
【図８】
2015045168.tif 000010
【図９】
2015045168.tif 000011
【図１０】
2015045168.tif 000012
【図１１Ａ】
2015045168.tif 000013
【図１１Ｂ】
2015045168.tif 000014
【図１１Ｃ】
2015045168.tif 000015
【図１２】
2015045168.tif 000016
【図１３Ａ】
2015045168.tif 000017
【図１３Ｂ】
2015045168.tif 000018
【図１３Ｃ】
2015045168.tif 000019
【図１４Ａ】
2015045168.tif 000020
【図１４Ｂ】
2015045168.tif 000021
【図１４Ｃ】
2015045168.tif 000022